(57)【要約】【課題】  左右のテンプルを均等に移動させて使用者の顔の幅に応じたテンプル幅に調整することができ、かつ、簡単な構成でガタつきや緩みが生じにくい眼鏡のテンプル幅調整機構を提供する。【解決手段】  眼鏡前枠１１の両端に智１２を着脱自在に取り付ける智連結部材２１と、智１２の基部に形成され、智連結部材２１と智１２とを連結するための凸部２４と、智連結部材２１に形成され、凸部２４が嵌め込まれるとともに、凸部２４の幅寸法より広幅に形成された長孔状の嵌合孔２２と、嵌合孔２２内の所定位置で凸部２４を智連結部材２１に固定する固定手段２５，２６と、凸部２４と嵌合孔２２との間の隙間に嵌め込まれて凸部２４の位置決めを行うとともに、智連結部材２１と智１２との間に介在して、凸部２４及び智１２の移動を規制する介装部材２３とを有する。【選択図】  図１
2009282381.tif 000002
【特許請求の範囲】
【請求項１】
レンズを保持する前枠と、この前枠の両端に取り付けられた智と、この智を介して前記前枠に取り付けられた一対のテンプルとを有する眼鏡に設けられ、前記一対のテンプルの幅を広狭調整するためのテンプル幅調整機構において、
前記前枠の両端に前記智を着脱自在に取り付ける智連結部材と、
前記智の基部又は前記智連結部材に形成され、前記智連結部材と前記智とを連結するための凸部と、
前記智連結部材又は前記智に形成され、前記凸部が嵌め込まれるとともに、前記凸部の幅寸法より広幅に形成された長孔状の嵌合孔と、
前記嵌合孔内の所定位置で前記凸部を前記智連結部材又は前記智に固定する固定手段と、
前記凸部と前記嵌合孔との間の隙間に嵌め込まれて前記凸部の位置決めを行うとともに、前記智連結部材と前記智との間に介在して、前記凸部及び前記智の移動を規制する介装部材と、
を有することを特徴とする眼鏡のテンプル幅調整機構。
【請求項２】
前記介装部材が、前記嵌合孔内で前記凸部を弾発する第一の部材と、前記智連結部材と前記智との間に介在して前記智を弾発する第二の部材とからなることを特徴とする請求項１に記載の眼鏡のテンプル幅調整機構。
【請求項３】
前記固定手段は、前記凸部及び前記介装部材を貫通して前記凸部及び前記介装部材を前記智連結部材又は前記智に固定することを特徴とする請求項１又は２に記載の眼鏡のテンプル幅調整機構。
【請求項４】
前記嵌合孔における前記凸部の取り付け位置が、前記テンプル幅を広幅にする第一の位置と、前記テンプル幅を狭幅にする第二の位置とに予め設定されていて、かつ、同一の介装部材を用いることができるように、前記第一の位置と前記第二の位置とで同一寸法の前記隙間が形成されるようにしたことを特徴とする請求項１〜３のいずれかに記載の眼鏡のテンプル幅調整機構。
【請求項５】
前記嵌合孔における前記凸部の取り付け位置が三箇所以上の複数個所で調整自在で、かつ、前記介装部材を前記凸部に対して押圧する押圧手段を設けたことを特徴とする請求項１〜３のいずれかに記載の眼鏡のテンプル幅調整機構。
【発明の詳細な説明】
【技術分野】
【０００１】
本発明は、眼鏡のテンプル幅を使用者の顔の幅に応じて広狭調整することのできるテンプル幅調整機構に関する。
【背景技術】
【０００２】
テンプルの幅を使用者の顔の幅に応じて変えることができるようにした眼鏡は従来から知られており、例えば、特許文献１に記載のメガネフレームでは、前枠の両側に筒状細管を取り付け、この筒状細管にスライド可能にテンプルを取り付け、使用者の顔の幅に応じてテンプル幅を自在に変化できるようにしている。
【０００３】
特許文献２には、ラック・ピニオン機構を採用し、テンプル基部４，１３を任意の位置まで移動させることにより、テンプル間幅を任意に調整できる眼鏡フレームが記載されている。
特許文献３には、フレームの両端に孔を形成し、その孔にテンプル（智）の先端を差し込んで、所定長さのところでボルトでテンプルを固定することでテンプル幅を調整できるようにした眼鏡が記載されている。
特許文献４には、フレーム両端にガイド片を設け、スライド部材を介してテンプルを位置調整自在に取り付けるとともに、ボルトの取付位置によって複数段階にテンプル幅を調整できるようにした眼鏡枠が記載されている。
【特許文献１】特開平１１−３４４６８７号公報
【特許文献２】特開平８−１２２７１５号公報
【特許文献３】実開昭６１−１８８１１９号公報
【特許文献４】実開昭５５−６０１１３号公報
【発明の開示】
【発明が解決しようとする課題】
【０００４】
しかし、特許文献１，３に記載のメガネフレーム及び眼鏡では、左右のテンプルを同量だけ前枠に対してスライドさせないと、使用者の両眼に対するレンズの位置が左右にずれてしまうという問題がある。また、このような作業は困難で面倒であるという問題があるほか、前枠とテンプルとの間でガタが生じやすく、がたが生じないように筒状細管及びスライディングバー等の寸法を精密にすると、両者がスライドさせにくくなり、テンプル幅の調整が困難になるという問題がある。
特許文献４に記載の眼鏡枠は、特許文献１，３の前者の問題は解決できるが、後者の問題は解決することができない。また、特許文献４は、上記問題は無いものの構成が複雑でコスト高になるという問題がある。
【０００５】
本発明は上記の問題点を解決するべくなされたもので、左右のテンプルを均等に移動させて使用者の顔の幅に応じたテンプル幅に調整することができ、かつ、簡単な構成でガタつきや緩みが生じにくい眼鏡のテンプル幅調整機構の提供を目的とする。
【課題を解決するための手段】
【０００６】
上記課題を解決するために、請求項１に記載の発明は、レンズを保持する前枠と、この前枠の両端に取り付けられた智と、この智を介して前記前枠に取り付けられた一対のテンプルとを有する眼鏡に設けられ、前記一対のテンプルの幅を広狭調整するためのテンプル幅調整機構において、前記前枠の両端に前記智を着脱自在に取り付ける智連結部材と、前記智の基部又は前記智連結部材に形成され、前記智連結部材と前記智とを連結するための凸部と、前記智連結部材又は前記智に形成され、前記凸部が嵌め込まれるとともに、前記凸部の幅寸法より広幅に形成された長孔状の嵌合孔と、前記嵌合孔内の所定位置で前記凸部を前記智連結部材又は前記智に固定する固定手段と、前記凸部と前記嵌合孔との間の隙間に嵌め込まれて前記凸部の位置決めを行うとともに、前記智連結部材と前記智との間に介在して、前記凸部及び前記智の移動を規制する介装部材とを有する構成としてある。
【０００７】
介装部材の具体的構成は、例えば請求項２に記載するように、前記嵌合孔内で前記凸部を弾発する第一の部材と、前記智連結部材と前記智との間に介在して前記智を弾発する第二の部材とからなるものとしてもよい。第一の部材と第二の部材とは一体であるとよく、金属やセラミックで形成してもよいが、ＡＢＳ樹脂やシリコン樹脂のような弾性を有する樹脂部材で形成するのが好ましい。
【０００８】
また、前記固定手段は、請求項３に記載するように、前記凸部及び前記介装部材の両方を貫通して、前記凸部及び前記介装部材を前記智連結部材又は前記智に固定するものであってもよい。
さらに、請求項４に記載するように、前記嵌合孔における前記凸部の取り付け位置が、前記テンプル幅を広幅にする第一の位置と、前記テンプル幅を狭幅にする第二の位置とに予め設定されていて、かつ、同一の介装部材を用いることができるように、前記第一の位置と前記第二の位置とで同一寸法の前記隙間が形成されるようにしてもよい。
このようにすることで、単純な構成でテンプル幅を広狭二段階に調整することが可能になる。
【０００９】
また、請求項５に記載するように、前記嵌合孔における前記凸部の取り付け位置が三箇所以上の複数個所で調整自在で、かつ、前記介装部材を前記凸部に対して押圧する押圧手段を設けてもよい。
このようにすることで、嵌合孔内で凸部の位置調整が可能な範囲内で、テンプル幅を任意の寸法に調整することが可能になる。
【発明の効果】
【００１０】
本発明は、所望のテンプル幅に応じて凸部を幅広の嵌合孔内で位置決めが可能である。また、介装部材によって凸部と智とがガタつきなく智連結部材に取り付けることができる。また、その構成も簡単で、低コストで形成することが可能である。
【発明を実施するための最良の形態】
【００１１】
以下、本発明の好適な実施形態を、図面を参照しながら詳細に説明する。
図１は、本発明のテンプル幅調整機構を備えた眼鏡の一実施形態にかかり、その平面図である。
眼鏡１は、左右二つのレンズ１０，１０を保持するフレーム１１と、フレーム１１の両端に取り付けられた智１２，１２と、智１２，１２にヒンジ１３，１３を介して折り畳み自在に取り付けられたテンプル１４，１４とを備えている。
テンプル幅調整機構２は、智１２，１２とフレーム１１との連結部分に設けられていている。そして、このテンプル幅調整機構２を利用することで、装着者の顔の幅に合わせて、レンズ１０，１０の位置を変えることなく、テンプル１４，１４間の距離（テンプル幅）をＬ１（図１中実線で示すテンプル１４，１４間の距離）とＬ２（同二点鎖線で示すテンプル１４，１４間の距離）との間で、二段階に変更することが可能である。
【００１２】
図２は、この実施形態のテンプル幅調整機構２の構成を説明する拡大分解斜視図である。
なお、図２及び以下の説明では、フレーム１１の両側に設けられる二つのテンプル幅調整機構２，２のうちの一方のみについて説明するが、他方のものについても同様であるので、他方のものについては図示及び説明は省略する。
フレーム１１の両側に張り出して形成される智連結部材２１には、眼鏡の内側（顔側）を向く垂直面内に、長孔状の嵌合孔２２が形成されている。この嵌合孔２２の下底部を形成する智連結部材２１の下方の水平部には、ボルト挿通孔２１ａ，２１ｃが貫通形成され、嵌合孔２２の上底部を形成する上方の水平部であって、ボルト挿通孔２１ａ，２１ｃと同一の軸線上には、ボルト２５，２６の先端と係合する凹部２１ｂ，２１ｄが形成されている。なお、ボルト挿通孔２１ａ，２１を上方の水平部に形成し、凹部２１ｂ，２１ｄを下方の水平部に形成してもよいが、ボルト２５，２６の頭部を見えにくくして外観を向上させるには、この実施形態のものが有利である。
【００１３】
智１２の基部には、智連結部材２１に智１２を連結して取り付けるための取付部２４が突出形成されている。この実施形態では、この取付部２４が凸部を構成する。
また、智連結部材２１と智１２との間に介装される介装部材２３は、嵌合孔２２内に嵌め込まれ、取付部２４と嵌合孔２２の内周壁との間に介在して取付部２４の位置決めを行うとともに、取付部２４の移動を規制する凸状の第一介装部２３ａと、この第一介装部２３ａに一体に形成され、智連結部材２１と智１２との間に介在して智１２の移動を規制する第二介装部２３ｃとを有している。第二介装部２３ｃには、取付部２４が挿通する切欠き状又は貫通孔状の取付部挿通孔２３ｄが形成される。
【００１４】
そして、智１２の取付部２４のほぼ中央に形成された上下方向（図２の矢印で示す方向）の螺子孔２４ａと、介装部材２３の第一介装部２３ａに上下方に形成された螺子孔２３ｂとは、取付部２４及び第一介装部２３ａを嵌合孔２２に嵌め込んだときに、二つの螺子孔２３ｂ，２４ａのそれぞれが、智連結部材２１に形成された二組のボルト挿通孔２１ａ，２１ｃ及び凹部２１ｂ，２１ｄと一致するように位置決めされる。
介装部材２３は樹脂等の弾性を有する部材で形成するのが好ましく、かつ、締まり嵌め状態で智１２及び取付部材２４と智連結部材２１との間に介装されるのが好ましい。
【００１５】
上記構成のテンプル幅調整機構２では、まず、第一介装部２３ａを嵌合孔２２に嵌め込んで介装部材２３を智連結部材２１に取り付け、次いで、介装部材２３の取付部挿入孔２３ｄを挿通させて智１２の取付部２４を嵌合孔２２に嵌め込む。
このとき、ボルト挿通孔２１ａ及び凹部２１ｂと螺子孔２３ｂ，ボルト挿通孔２１ｃ及び凹部２１ｄと螺子孔２４ａが各々一致しているから、これらボルト挿通孔２１ａ，螺子孔２３ｂ，ボルト挿通孔２１ｃ，螺子孔２４ａに、二つのボルト２５，２６のそれぞれを、その先端が凹部２１ｂ，凹部２１ｄに達するまで螺入することで、介装部材２３及び智１２が智連結部材２１に固定される。智１２及び取付部材２４と智連結部材２１との間に、締まり嵌め状態で介装部材２３を介在させることで、智１２を智連結部材２１に取り付けた後のがたの発生やボルト２５，２６の緩みの発生を効果的に抑制することができる。
【００１６】
次に、図３を参照しながら、この実施形態のテンプル幅調整機構２を使ったテンプル幅の調整の手順について説明する。
この実施形態のテンプル幅調整機構２では、図１を参照しながら説明したように、距離Ｌ１と距離Ｌ２との間で二段階にテンプル幅を調整することができる。
【００１７】
テンプル１４間が狭幅である距離Ｌ１の図３（ａ）の状態では、取付部２４を内側（図３中左側）に、介装部材２３を外側（同右側）に位置させて嵌合孔２２に嵌め込む。介装部材２３は、第一介装部２３ａの螺子孔２３ｂ（図２参照）がボルト挿通孔２１ａ及び凹部２１ｂに一致するように嵌合孔２２に嵌め込む。また、取付部２４は、螺子孔２４ａ（図２参照）がボルト挿通孔２１ｃ及び凹部２１ｄに一致するように嵌合孔２２に嵌め込む。
【００１８】
テンプル１４間が広幅である距離Ｌ２の図３（ｂ）の状態では、取付部２４を外側に、介装部材２３を内側に位置させて嵌合孔２２に嵌め込む。このときの介装部材２３の姿勢は、図３（ａ）の場合と逆向きにし、第一介装部２３ａの螺子孔２３ｂ（図２参照）がボルト挿通孔２１ｃ及び凹部２１ｄに一致するように嵌合孔２２に嵌め込む。また、取付部２４は、螺子孔２４ａ（図２参照）がボルト挿通孔２１ａ及び凹部２１ｂに一致するように嵌合孔２２に嵌め込む。
【００１９】
このように、本発明のテンプル幅調整機構２を利用すれば、嵌合孔２２内での取付部２４と介装部材２３との取付位置及び介装部材２３の姿勢を入れ替えるだけで、テンプル幅を狭幅（Ｌ１）と広幅（Ｌ２）の二段階に切り替えることが可能で、かつ、その作業もきわめて容易である。
【００２０】
図４は、本発明のテンプル幅調整機構２の他の実施形態である。図４において、先の実施形態と同一部位，同一部材には同一の符合を付し、詳しい説明は省略する。
先の実施形態では、上下方向に螺入される二つのボルト２５，２６で介装部材２３及び取付部２４を智連結部材２１に固定するようにしている。また、先の実施形態の変形例として、特に図示はしないが、前後方向（図１の矢印で示す方向）にボルト２５，２６を螺入して介装部材２３及び取付部２４を智連結部材２１に固定するようにしてもよい。
この実施形態では、嵌合孔２２を左右方向（図１の矢印で示す方向）に横断するように、智連結部材２１に横方向に螺入される一本のボルト２７を取付部２４′及び介装部材２３′に貫通させ、両者を一体として智連結部材２１′に固定している。取付部２４′及び介装部材２３′には、ボルト挿通孔２４ａ′，２３ｂ′が同一の軸線上で左右方向に貫通形成され、智連結部材２１′には、螺子孔２１ａ′と凹部２１ｂ′とがボルト挿通孔２４ａ′，２３ｂ′と同一の軸線上に位置するように形成されている。そして、ボルト２７を、智連結部材２１の側面から、ボルト挿通孔２４ａ′，２３ｂ′を挿通させて螺子孔２１ａ′に螺入し、先端が凹部２１ｂ′に達するまで締め付けることで、取付部２４′及び介装部材２３′が智連結部材２１′に固定される。
この実施形態では、一本のボルト２７で取付部２４′及び介装部材２３′を智連結部材２１′に固定できるという利点がある。
【００２１】
図５は、本発明のテンプル幅調整機構２のさらに他の実施形態である。図５において、先の実施形態と同一部位，同一部材には同一の符合を付し、詳しい説明は省略する。
この実施形態では、智連結部材２１に長孔状のボルト挿通孔２１ａ″及び凹部２１ｂ″が形成されていて、介装部材２３の第一介装部２３ａと智１２の取付部２４に、螺子孔２３ｂ，２４ａが形成されている。ボルト挿通孔２１ａ″及び凹部２１ｂ″を長孔状に形成することで、取付部２４の取付位置を、ボルト挿通孔２１ａ″及び凹部２１ｂ″の範囲内で任意に設定することができる。また、この場合は、嵌合孔２２と取付部２４との間の隙間を埋めることができるように、幅寸法の異なる介装部材２３を複数準備するとよい。
【００２２】
本発明の好適な実施形態について説明したが、本発明は上記の実施形態に限定されるものではない。
例えば、上記の説明では、ボルト２５，２６で智１２を智連結部材２１に取り付けるものとして説明したが、他の手段、例えば智１２及び／又は智連結部材２１に設けた磁石によって智１２を智連結部材２１に取り付けるようにしてもよい。
【００２３】
また、上記の第一の実施形態の説明では、二段階にテンプル幅を調整できるように構成しているが、螺子孔２１ａ〜２１ｄの数を増やしたり、図５の実施形態のように長孔のボルト挿通孔２１ａ″及び凹部２１ｂ″とし、これに応じた介装部材２３を準備することで、レンズ１０，１０の幅を変更することなく、嵌合孔２２内における取付部２４が移動可能な範囲内で、多段階にテンプル幅を調整することが可能である。
さらに、上記の説明では、智連結部材２１の垂直面に嵌合孔２２を形成しているが、智連結部材２１の上下の水平面内に嵌合孔２２を形成してもよい。
また、上記の説明では、智１２に凸部（取付部２４）を形成し、智連結部材２１に嵌合孔２２を形成しているが、智連結部材２１に凸部を形成し、智１２に嵌合孔２２を形成してもよい。
【産業上の利用可能性】
【００２４】
本発明のテンプル幅調整機構は、フルリム眼鏡やハーフリム眼鏡に限らず、リムレス眼鏡にも適用が可能であり、この場合はレンズの端縁にボルト等で智連結部材２１が固定される。また、本発明が適用される眼鏡は、必ずしもテンプルが折り畳み自在である必要はなく、テンプル折り畳み機能の無い眼鏡にも適用が可能である。
【図面の簡単な説明】
【００２５】
【図１】本発明のテンプル幅調整機構を備えた眼鏡の一実施形態にかかり、その平面図である。
【図２】この実施形態のテンプル幅調整機構２の構成を説明する拡大分解斜視図である。
【図３】この実施形態のテンプル幅調の整機構２を使ったテンプル幅の調整の手順を説明する図である。
【図４】テンプル幅調整機構２の他の実施形態を示す部分拡大平面図である
【図５】本発明のテンプル幅調整機構を備えた眼鏡の他の実施形態にかかり、テンプル幅調整機構２の構成を説明する拡大分解斜視図である。
【符号の説明】
【００２６】
１      眼鏡
２      テンプル幅調整機構
２１    智連結部材
２１ａ，２１ｃ    ボルト挿通孔
２１ｂ，２１ｄ    凹部
２２    嵌合孔
２３    介装部材
２４    取付部
２５，２６，２７    ボルト
【図１】
2009282381.tif 000003
【図２】
2009282381.tif 000004
【図３】
2009282381.tif 000005
【図４】
2009282381.tif 000006
【図５】
2009282381.tif 000007